(57)【要約】      （修正有）【課題】昇降コードの屈曲を低減することができる日射遮蔽装置を提供する。【解決手段】第２日射遮蔽材４ｂ及び第２巻取軸１０は、それぞれ、第１日射遮蔽材４ａ及び第１巻取軸９よりも部屋内側に配置され、第２日射遮蔽材４ｂの前後方向の中央は、第２巻取軸１０の回転軸１０ｃよりも部屋外側に配置され、第２昇降コードは、ヘッドボックス１から第２日射遮蔽材４ｂの部屋内側に垂下される部屋内側昇降コード７ｃと、ヘッドボックス１から第２日射遮蔽材４ｂの部屋外側に垂下される部屋外側昇降コード７ｌ，７ｒとを備え、部屋内側昇降コード７ｃは、ガイド部材５０ｉによって第１巻取軸９と第２巻取軸１０の間に案内され、部屋内側昇降コード７ｃ及び部屋外側昇降コード７ｌ，７ｒは、第２巻取軸１０をヘッドボックス１の前後方向の内側から外側に向かって回転させることによって第２巻取軸１０に巻き取られる日射遮蔽装置とした。【選択図】図２
2014224371.tif 000002
【特許請求の範囲】
【請求項１】
ヘッドボックスと、前記ヘッドボックスから吊下支持される第１及び第２日射遮蔽材と、第１及び第２日射遮蔽材をそれぞれ昇降させる第１及び第２昇降コードと、第１昇降コードの巻取り及び巻戻しを行う第１巻取軸と、第２昇降コードの巻取り及び巻戻しを行う第２巻取軸とを備え、
第２日射遮蔽材及び第２巻取軸は、それぞれ、第１日射遮蔽材及び第１巻取軸よりも部屋内側に配置され、
第２日射遮蔽材の前後方向の中央は、第２巻取軸の回転軸よりも部屋外側に配置され、
第２昇降コードは、前記ヘッドボックスから第２日射遮蔽材の部屋内側に垂下される部屋内側昇降コードと、前記ヘッドボックスから第２日射遮蔽材の部屋外側に垂下される部屋外側昇降コードとを備え、
前記部屋内側昇降コードは、ガイド部材によって第１巻取軸と第２巻取軸の間に案内され、
前記部屋内側昇降コード及び前記部屋外側昇降コードは、第２巻取軸を前記ヘッドボックスの前後方向の内側から外側に向かって回転させることによって第２巻取軸に巻き取られる、日射遮蔽装置。
【請求項２】
第１及び第２巻取軸は、前記ヘッドボックス内に配置されるサポート部材に回転可能に支持され、
前記ガイド部材は、前記サポート部材の底部から部屋内側に突出した位置に配置される、請求項１に記載の日射遮蔽装置。
【請求項３】
前記ガイド部材は、前記サポート部材に着脱可能に支持されたアダプタに支持される、請求項２に記載の日射遮蔽装置。
【発明の詳細な説明】
【技術分野】
【０００１】
この発明は、横型ブラインド、たくし上げカーテン、プリーツスクリーン等の日射遮蔽装置に関する。
【背景技術】
【０００２】
日射遮蔽装置の中には、ヘッドボックスから吊り下げられる日射遮蔽材の下部に設けられたボトムレールに昇降コードの一端が取着され、昇降コードの他端が巻取軸に取着され、巻取軸を回転させることによって、昇降コードの巻取り及び巻戻しを行って、日射遮蔽材を昇降させるものがある（例えば、特許文献１及び２を参照）。
【先行技術文献】
【特許文献】
【０００３】
【特許文献１】特開２０１２−２１５０６２号公報
【特許文献２】特開２０１２−２１９５０７号公報
【発明の概要】
【発明が解決しようとする課題】
【０００４】
特許文献１に記載の日射遮蔽装置では、日射遮蔽材は、巻取軸よりも部屋内側に配置され、昇降コードは、日射遮蔽材の部屋外側にのみ垂下されている。特許文献２に記載の日射遮蔽装置では、前後方向に並べて配置された２枚の日射遮蔽材が、前後方向に並べて配置された２つの巻取軸のそれぞれの直下に配置され、昇降コードは、日射遮蔽材に前後方向の略中央に挿通されて垂下されている。
【０００５】
本発明者は、前後方向に並べて配置された２枚の日射遮蔽材が部屋外側に寄せて配置され且つ昇降コードを日射遮蔽材の前後に分けて垂下させるという新規な構成の日射遮蔽装置の開発に際して、このような構成の日射遮蔽装置では、昇降コードの屈曲が従来よりも大きくなる場合があるという問題があることに気がついた。
【０００６】
本発明はこのような事情に鑑みてなされたものであり、昇降コードの屈曲を低減することができる日射遮蔽装置を提供するものである。
【課題を解決するための手段】
【０００７】
本発明によれば、ヘッドボックスと、前記ヘッドボックスから吊下支持される第１及び第２日射遮蔽材と、第１及び第２日射遮蔽材をそれぞれ昇降させる第１及び第２昇降コードと、第１昇降コードの巻取り及び巻戻しを行う第１巻取軸と、第２昇降コードの巻取り及び巻戻しを行う第２巻取軸とを備え、第２日射遮蔽材及び第２巻取軸は、それぞれ、第１日射遮蔽材及び第１巻取軸よりも部屋内側に配置され、第２日射遮蔽材の前後方向の中央は、第２巻取軸の回転軸よりも部屋外側に配置され、第２昇降コードは、前記ヘッドボックスから第２日射遮蔽材の部屋内側に垂下される部屋内側昇降コードと、前記ヘッドボックスから第２日射遮蔽材の部屋外側に垂下される部屋外側昇降コードとを備え、前記部屋内側昇降コードは、ガイド部材によって第１巻取軸と第２巻取軸の間に案内され、前記部屋内側昇降コード及び前記部屋外側昇降コードは、第２巻取軸を前記ヘッドボックスの前後方向の内側から外側に向かって回転させることによって第２巻取軸に巻き取られる、日射遮蔽装置が提供される。
【０００８】
本発明者は、日射遮蔽材を部屋外側に寄せて配置するという要請に答えるべく検討を行なっていたところ、前後方向に並べて配置された日射遮蔽材を部屋外側に寄せて配置し且つ昇降コードを日射遮蔽材の前後に分けて垂下させるという構成の日射遮蔽装置においては、特許文献１に記載のように、部屋外側の垂下される昇降コードをガイド部材によって部屋内側に案内して巻取軸を部屋内側から部屋外側に回転させて昇降コードを巻き取るという構成を採用すると、部屋内側の日射遮蔽材の部屋外側の垂下される昇降コードの屈曲が非常に大きくなってしまうことが分かった。
【０００９】
そして、このような知見に基づき、部屋内側の日射遮蔽材の部屋内側に垂下される昇降コードと部屋外側に垂下される昇降コードの両方を巻取軸の部屋外側に案内して巻取軸を部屋外側から部屋内側に回転させて昇降コードを巻き取るという構成を採用することによって、昇降コードの屈曲の低減が可能であることを見出し、本発明の完成に到った。
た。
【００１０】
以下、本発明の種々の実施形態を例示する。以下に示す実施形態は互いに組み合わせ可能である。
好ましくは、第１及び第２巻取軸は、前記ヘッドボックス内に配置されるサポート部材に回転可能に支持され、前記ガイド部材は、前記サポート部材の底部から部屋内側に突出した位置に配置される。
好ましくは、前記ガイド部材は、前記サポート部材に着脱可能に支持されたアダプタに支持される。
【図面の簡単な説明】
【００１１】
【図１】図１（ａ）は、ダブルタイプのプリーツスクリーンの正面図であり、図１（ｂ）は、図１（ａ）の右側面図であり、図１（ｃ）は、図１（ａ）の平面図である。
【図２】図２（ａ）〜（ｃ）は、それぞれ、図１（ｃ）中のＺ−Ｚ断面図、Ｙ−Ｙ断面図、Ｘ−Ｘ断面図である。
【図３】図３は、図１のダブルタイプのプリーツスクリーンで使用されるサポート部材８を示し、図３（ａ）は平面図、図３（ｂ）〜（ｄ）は、図３（ａ）中のＸ−Ｘ断面図、Ｙ−Ｙ断面図、Ｚ−Ｚ断面図である。
【図４】図４（ａ）は、ガイド部材を外した状態の第１アダプタ４９の斜視図であり、図４（ｂ）は、第１アダプタ４９を別の角度から見た斜視図である。
【図５】図５（ａ）は、ガイド部材を外した状態の第２アダプタ５０の斜視図であり、図５（ｂ）は、第２アダプタ５０を別の角度から見た斜視図である。
【図６】図６（ａ）〜（ｂ）は、図５の第２アダプタ５０をサポート部材８のアダプタ嵌合部５８に嵌合させる方法を説明するための、図３（ａ）のＹ−Ｙ断面と同じ断面の断面図であり、図６（ａ）は嵌合させる直前の状態、図６（ｂ）は嵌合させた後の状態を示す。図６（ｃ）〜（ｄ）は、図４の第１アダプタ４９をサポート部材８のアダプタ嵌合部５８に嵌合させる方法を説明するための、図３（ａ）のＹ−Ｙ断面と同じ断面の断面図であり、図６（ｃ）は嵌合させる直前の状態、図６（ｄ）は嵌合させた後の状態を示す。
【図７】図７は、図２（ｃ）に対応する参考図を示す。
【発明を実施するための形態】
【００１２】
以下、本発明の実施形態について説明する。以下に示す実施形態中で示した各種特徴事項は、互いに組み合わせ可能である。
【００１３】
図１〜図６は、巻取り式のダブルタイプのプリーツスクリーンを示す。このプリーツスクリーンでは、ヘッドボックス１から２枚のスクリーン４ａ，４ｂが前後方向に並べて吊下支持される。スクリーン４ａ，４ｂの下端には、ボトムレール５ａ，５ｂが取着される。ボトムレール５ａには、昇降コード６ｒ，６ｃ，６ｌの一端が取着され、ボトムレール５ｂには、昇降コード７ｒ，７ｃ，７ｌの一端が取着される。昇降コード６ｒ，６ｃ，６ｌを昇降コード６と総称し、昇降コード７ｒ，７ｃ，７ｌを昇降コード７と総称する。昇降コード６，７の他端は、巻取軸９，１０に取着される。スクリーン４ａ，４ｂは、巻取軸９，１０の回転による昇降コード６，７の巻取り及び巻戻しによって昇降される。巻取軸９，１０は、ヘッドボックス１内に配置されたサポート部材８によって回転可能に支持される。巻取軸９，１０は、本実施形態では、ボールチェーン１６を操作することによって回転される。
【００１４】
ボトムレール５ａ，５ｂとヘッドボックス１の間には、保持部４３ａ，４３ｂを有するピッチ保持コード３９ａ，３９ｂが配置される。ボトムレール５ａ，５ｂには、ピッチ保持コード３９ａ，３９ｂを保持するピッチ保持コード保持部材５１と、昇降コード６，７を保持する昇降コード保持部材５３が取着される。ピッチ保持コード３９ａ，３９ｂ及び昇降コード６，７は、これらの保持部材によって、ボトムレール５に取着される。
【００１５】
図２（ａ）〜（ｃ）に示すように、昇降コード６，７は、それぞれ、巻取軸９，１０を前後方向の内側から外側に向かって（矢印Ａ，Ｂの方向に）回転させることによって巻取軸９，１０に巻き取られる。「外側」とは、ヘッドボックス１の外面側の意味であり、部屋内側の外側と部屋外側の外側がある。「内側」とは、ヘッドボックス１の前後方向の中央側を意味する。
【００１６】
図２（ａ）及び（ｃ）に示すように、幅方向両端の組Ｒ，Ｌにおいては、第１アダプタ４９がサポート部材８に嵌合されている。昇降コード６ｒ，６ｌは、第１アダプタ４９によって支持される滑車４９ｉによって案内されて、第１アダプタ４９の挿通孔４９ｇに挿通されて第１スクリーン４ａの部屋外側に垂下される。昇降コード７ｌ，７ｒは、第１アダプタ４９の挿通孔４９ｈに挿通されて、第２スクリーン４ｂの部屋外側に垂下される。
【００１７】
図２（ｂ）に示すように、幅方向右中央の組Ｃにおいては、第２アダプタ５０がサポート部材８に嵌合されている。昇降コード７ｃは、第２アダプタ５０によって支持される滑車５０ｉによって案内されて、第２アダプタ５０の挿通孔５０ｇに挿通されて第２スクリーン４ｂの部屋内側に垂下される。昇降コード６ｃは、第２アダプタ５０の挿通孔５０ｈに挿通されて、第１スクリーン４ａの部屋内側に垂下される。
【００１８】
図２（ａ）〜（ｃ）に示すように、スクリーン４ａ，４ｂの前後方向の中央４ａｃ，４ｂｃは、それぞれ、巻取軸９，１０の回転軸９ｃ，１０ｃよりも部屋外側に配置されている。部屋内側のスクリーン４ｂの中央４ｂｃと巻取軸１０の回転軸１０ｃの間の前後方向の距離は、部屋外側のスクリーン４ａの中央４ａｃと巻取軸９の回転軸９ｃの間の距離よりも大きい。従って、部屋内側のスクリーン４ｂは、部屋外側のスクリーン４ａよりも部屋外側に寄せられている程度が大きい。
【００１９】
スクリーン４ａ，４ｂをこのように配置した場合に、図７の参考図に示すように、第２スクリーン４ｂの部屋外側に垂下される昇降コード７ｒを滑車６１によって部屋内側に案内して、第２巻取軸１０を前後方向の外側から内側に向かって（矢印ＢＩの方向に）回転させることによって昇降コード７ｒを第２巻取軸１０に巻き取るようにすると、滑車６１での昇降コード７ｒの屈曲が非常に大きくなって、昇降コード７ｒが摩耗しやすくなってしまう。
【００２０】
これに対して、本実施形態では、図２（ａ）及び（ｃ）に示すように、第２スクリーン４ｂの部屋外側に垂下される昇降コード７ｌ，７ｒを滑車などのガイド部材を用いることなく第２巻取軸１０に案内して、第２巻取軸１０を前後方向の内側から外側に向かって（矢印Ｂの方向に）回転させることによって昇降コード７ｌ，７ｒを第２巻取軸１０に巻き取っているので、昇降コード７ｌ，７ｒはほとんど屈曲しない。また、図２（ｂ）に示すように、第２スクリーン４ｂの部屋内側に垂下される昇降コード７ｃは、滑車５０ｉによって第１巻取軸９と第２巻取軸１０の間に案内されて、第２巻取軸１０を前後方向の内側から外側に向かって（矢印Ｂの方向に）回転させることによって第２巻取軸１０に巻き取るので、昇降コード７ｃは、滑車５０ｉである程度屈曲するが、その屈曲の程度は、図７の滑車６１での昇降コード７ｒの屈曲よりも大幅に低減されている。その理由は、（１）第２スクリーン４ｂが部屋外側に寄せられているので、図２（ｂ）での滑車５０ｉの部屋内側から第２巻取軸１０の部屋外側までの距離Ｄ１が、図７での滑車６１の部屋外側から第２巻取軸１０の部屋内側までの距離Ｄ２よりも短いこと、及び（２）図７のように、滑車６１をサポート部材８の前後方向の略中央に設けると、滑車６１の軸心の位置が高くなってしまうのに対し、図２（ｂ）では、滑車５０ｉをサポート部材８の底部から部屋内側に突出した位置に設けて、その軸心を図７の滑車６１よりも低い位置に配置していることである。このように、本実施形態では、Ｄ１＜Ｄ２でありかつ滑車５０ｉの軸心位置が比較的低いので、昇降コード７ｃの屈曲の程度が低減される。
【００２１】
次に、サポート部材８と、第１及び第２アダプタ４９，５０の詳細について説明する。
図３に示すように、本実施形態のサポート部材８は、巻取軸９，１０を回転可能に支持する基端側巻取軸支持部１８ｃ，２８ｃと、先端側巻取軸支持部１８ａ，２８ａを備える。また、サポート部材８は、第１及び第２アダプタ４９，５０と嵌合可能なアダプタ嵌合部５８を有する。アダプタ嵌合部５８は、中央開口部５８ｄと、第１及び第２外側開口部５９ｅ，６０ｅと、第１及び第２支持部５９ｆ，６０ｆと、そこから中央開口部５８ｄに向かって突出する第１及び第２係止凸部５９ｊ，６０ｊを備える。
【００２２】
図４に示すように、第１アダプタ４９は、基部４９ａと、基部４９ａから前後方向の内側に突出する内側係止凸部４９ｂと、基部４９ａから前後方向の外側に突出する外側係止凸部４９ｃとを備える。外側係止凸部４９ｃにはテーパー面４９ｄが設けられている。また、基部４９ａから前後方向の外側に突出した突出部４９ｅにガイド部材を支持可能なガイド部材支持部４９ｆを備える。ガイド部材は、滑車軸４９ｊと、滑車軸４９ｊを中心に回転する滑車４９ｉとで構成される。滑車軸４９ｊがガイド部材支持部４９ｆで支持される。また、滑車４９ｉに隣接した位置に第１昇降コード６を挿通させる第１挿通孔４９ｇが設けられ、基部４９ａには、第２昇降コード７を挿通させる第２挿通孔４９ｈが設けられる。さらに、基部４９ａの前後方向の両端には、係止凸部４９ｋ，４９ｌが設けられている。
【００２３】
図５に示すように、第２アダプタ５０は、基部５０ａと、基部５０ａから前後方向の内側に突出する内側係止凸部５０ｂと、基部５０ａから前後方向の外側に突出する外側係止凸部５０ｃとを備える。外側係止凸部５０ｃにはテーパー面５０ｄが設けられている。また、基部５０ａから前後方向の外側に突出した突出部５０ｅにガイド部材を支持可能なガイド部材支持部５０ｆを備える。ガイド部材は、滑車軸５０ｊと、滑車軸５０ｊを中心に回転する滑車５０ｉとで構成される。滑車軸５０ｊがガイド部材支持部５０ｆで支持される。また、滑車５０ｉに隣接した位置に第２昇降コード７を挿通させる第２挿通孔５０ｇが設けられ、基部５０ａには、第１昇降コード６を挿通させる第１挿通孔５０ｈが設けられる。さらに、基部５０ａの前後方向の両端には、係止凸部５０ｋ，５０ｌが設けられている。
【００２４】
第１アダプタ４９をサポート部材８のアダプタ嵌合部５８に嵌合させる際には、図６（ｃ）〜（ｄ）に示すように、サポート部材８の下側から第１アダプタ４９の突出部４９ｅを第１外側開口部５９ｅ側に向けた状態で、第１アダプタ４９の内側係止凸部４９ｂをサポート部材８の第２支持部６０ｆに引っ掛ける。その状態で第１アダプタ４９に対して上方向（矢印Ｘ方向）の力を加えると、第１アダプタ４９のテーパー面４９ｄが第１支持部５９ｆに当接し、そのまま押し込むと第１アダプタ４９の外側係止凸部４９ｃが第１支持部５９ｆを乗り越えて、第１支持部５９ｆで支持される。このように、第１アダプタ４９の前後方向の両側がサポート部材８の第１及び第２支持部５９ｆ，６０ｆで支持されるので、第１アダプタ４９は下方向には動かない。また、図６（ｄ）に示すように、第１アダプタ４９の基部４９ａは、中央開口部５８ｄ内に入り込み、その係止凸部４９ｋ，４９ｌが係止凸部５９ｊ、６０ｊに当接するので、第１アダプタ４９は、上方向にも動かない。このようにして、第１アダプタ４９がサポート部材８に対して嵌合される。第１アダプタ４９は、前後方向に反転させてアダプタ嵌合部５８に嵌合させることもできる。この場合、第１アダプタ４９の突出部４９ｅを第２外側開口部６０ｅ側に向けた状態で、第１アダプタ４９の内側係止凸部４９ｂをサポート部材８の第１支持部５９ｆに引っ掛け、外側係止凸部４９ｃを第２支持部６０ｆに係合させる。
【００２５】
第２アダプタ５０をサポート部材８のアダプタ嵌合部５８に嵌合させる際には、図６（ａ）〜（ｂ）に示すように、サポート部材８の下側から第２アダプタ５０の突出部５０ｅを第２外側開口部６０ｅ側に向けた状態で、第２アダプタ５０の内側係止凸部５０ｂをサポート部材８の第１支持部５９ｆに引っ掛ける。その状態で第２アダプタ５０に対して上方向（矢印Ｘ方向）の力を加えると、第２アダプタ５０のテーパー面５０ｄが第２支持部６０ｆに当接し、そのまま押し込むと第２アダプタ５０の外側係止凸部５０ｃが第２支持部６０ｆを乗り越えて、第２支持部６０ｆで支持される。このように、第２アダプタ５０の前後方向の両側がサポート部材８の第１及び第２支持部５９ｆ，６０ｆで支持されるので、第２アダプタ５０は下方向には動かない。また、図６（ｂ）に示すように、第２アダプタ５０の基部５０ａは、中央開口部５８ｄ内に入り込み、その係止凸部５０ｋ，５０ｌが係止凸部５９ｊ，６０ｊに当接するので、第２アダプタ５０は、上方向にも動かない。このようにして、第２アダプタ５０がサポート部材８に対して嵌合される。第２アダプタ５０は、前後方向に反転させてアダプタ嵌合部５８に嵌合させることもできる。この場合、第２アダプタ５０の突出部５０ｅを第１外側開口部５９ｅ側に向けた状態で、第２アダプタ５０の内側係止凸部５０ｂをサポート部材８の第２支持部６０ｆに引っ掛け、外側係止凸部５０ｃを第１支持部５９ｆに係合させる。
【００２６】
このように、アダプタ嵌合部５８には、第１及び第２アダプタ４９，５０の両方を嵌合させることができる。また、第１及び第２アダプタ４９，５０は、どちらも、前後方向に反転させてアダプタ嵌合部５８に取り付けることができる。このため、必要な部品点数を最小限にすることができる。
【００２７】
以上のような構成によって、第２アダプタ５０の滑車５０ｉを、サポート部材８の底部から部屋内側に突出した位置に配置すること、及び第１アダプタ４９の滑車４９ｉを、サポート部材８の底部から部屋外側に突出した位置に配置することが可能になっている。
【００２８】
本発明は、以下の形態でも実施可能である。
・第１巻取軸９による昇降コード６の巻取り方向は、限定されず、上記実施形態の逆方向に第１巻取軸９を回転させて巻き取ってもよい。
・昇降コード６の垂下方法は、限定されず、スクリーン４ａの前後方向の略中央に挿通させて垂下させてもよい。
・昇降コードを用いて日射遮蔽材を昇降させる種々のタイプの日射遮蔽装置（例：横型ブラインド、たくし上げカーテン、ロールブラインド）にも適用可能である。
【符号の説明】
【００２９】
１：ヘッドボックス
４ａ，４ｂ：スクリーン
５ａ，５ｂ：ボトムレール
６，７：昇降コード
８：サポート部材
９，１０：巻取軸
４９ｉ，５０ｉ，６１：滑車
【図１】
2014224371.tif 000003
【図２】
2014224371.tif 000004
【図３】
2014224371.tif 000005
【図４】
2014224371.tif 000006
【図５】
2014224371.tif 000007
【図６】
2014224371.tif 000008
【図７】
2014224371.tif 000009